(57)【特許請求の範囲】
【請求項１】
隣接する一対の面材の対向端縁間に配置された支持材には、前記一対の面材のうちの一方の面材の端縁側を呑み込む呑込部と、他方の面材の端縁側を呑み込む呑込部とが、見込み方向に重ねて設けられており、
前記面材を間にして対向する一対の平行な前記支持材は、一方の支持材の室内側の呑込部と、他方の支持材の室外側の呑込部とが対向するように配置されている
カーテンウォール。
【請求項２】
前記面材の端縁のうち、前記一対の支持材に呑み込まれない他の端縁側は、当該支持材と角度を成す別の支持材に取り付けられる保持部材で保持されている請求項１に記載のカーテンウォール。
【発明の詳細な説明】
【０００１】
【発明の属する技術分野】
本発明は、カーテンウォールに係り、面材が方立や無目等の支持材、あるいは枠体を構成する框材等の支持材で支持されているカーテンウォールに関する。
【０００２】
【背景技術】
近年のビル等では、カーテンウォールによる外壁面にも様々な意匠のものが使用されるようになった。例えば、大型ビルの低層階に配置される吹き抜け空間の外壁として、ガラスカーテンウォールを用いることが多い。このガラスカーテンウォールを支持する方法としては、建物の躯体に取り付けられた方立および無目でガラスパネルを支持する方法が一般的である。
【０００３】
しかしながら、無目や方立を用いた場合には、ガラスパネルの周囲に無目や方立が露出して目地部分が目立ってしまうとともに、ガラスパネルが透光性を有して室内外から見通せる場合には、無目や方立全体が露出してしまうため、外装デザインとして、ガラスを支持する支持材（無目や方立）をできるだけ目立たなくするような要望があった場合には採用が難しいという問題があった。
【０００４】
そこで、このような構造材を目立たなくする場合には、通常、ＤＰＧ（ドット・ポイント・グレイジング）方式のカーテンウォールが用いられている。
【０００５】
【発明が解決しようとする課題】
しかしながら、ＤＰＧ方式のカーテンウォールは、ガラスパネル等の壁体の四隅に貫通孔を形成し、互いに隣接する四枚の壁体の四つの貫通孔を、躯体に取り付けられた正面略「工」字形の壁体固定部材に固定するため、利用できる壁体に制限があるとともに、パネルに貫通孔を形成しなければならないため、製造が煩雑であるという問題があった。そこで、ＤＰＧ方式を用いず、方立や無目を用いた場合でも、それら支持材の見付け寸法を小さくして目立たなくできるカーテンウォールが要求されている。
【０００６】
本発明の目的は、面材を支持する支持材を目立たなくして外観を良好にできるカーテンウォールを提供することにある。
【０００７】
【課題を解決するための手段】
本発明のカーテンウォールは、隣接する一対の面材の対向端縁間に配置された支持材には、前記一対の面材のうちの一方の面材の端縁側を呑み込む呑込部と、他方の面材の端縁側を呑み込む呑込部とが、見込み方向に重ねて設けられており、前記面材を間にして対向する一対の平行な前記支持材は、一方の支持材の室内側の呑込部と、他方の支持材の室外側の呑込部とが対向するように配置されていることを特徴とする。
【０００８】
このような本発明では、支持材において、各面材を呑み込む呑込部が見込み方向に重なるように設けられるため、その分支持材の見付け寸法が小さくなって支持材が目立ち難くなり、カーテンウォールの外観が良好になる。
以上により、前記目的を達成できる。
【０００９】
また、面材の対向する一対の端縁のうち、一方の端縁が室内側に位置し、他方の端縁が室外側に位置するので、支持材の対向方向に沿った開口面に対して傾斜して配置されるようになり、意匠性が向上する。
【００１０】
この際、前記面材の端縁のうち、前記一対の支持材に呑み込まれない他の端縁側を、当該支持材と角度を成す別の支持材に取り付けられる保持部材で保持することが好ましい。
このような構成では、傾斜した保持溝等を前記別の支持材に設ける必用がないので、前記別の支持材の構造が簡略化される。このため、支持材としては、例えば押出形材等で容易かつ安価に製作されたものを、二次加工無しにそのまま利用できる。
【００１１】
【発明の実施の形態】
以下、本発明の一実施形態を図面に基づいて説明する。
図１は、本実施形態のカーテンウォール１の要部を示す外観斜視図である。
【００１２】
カーテンウォール１は、間隔を空けて立設された複数の方立１０と、方立１０間に上下に間隔を空けて架設された複数の無目２０Ａ（２０）と、これら方立１０および無目２０Ａで区画形成された開口部分に配置されるガラスパネル３０とを備えている。また、本実施形態のカーテンウォール１は、ガラスパネル３０が開口部分に嵌め殺し状態に配置されたフィックス窓２（図２、図３）と、ガラスパネル３０が開閉自在に設けられた辷り出し窓３（図４、図５）および開き窓４（図６、図７）とで構成されている。
【００１３】
以下には先ず、フィックス窓２の部分について説明する。
図２、および図４の中央部分において、特に方立１０は、カーテンウォール１の上下にわたって連続して設けられる方立本体１１と、方立本体１１の両側（見付け方向の両側）に配置された縦材１２とで構成され、各縦材１２が複数本継がれて略方立本体１１と同じ長さに設けられている。ここで、無目２０Ａ、方立１０、およびガラスパネル３０が、それぞれ本発明に係る支持材、別の支持材、および面材である。
【００１４】
方立１０の縦材１２は、無目２０Ａにビス止めされる断面Ｌ字形状の縦材本体１３と、縦材本体１３の室内側に係合しかつ室外側にビス止めされるアタッチメント１４とで構成され、これら縦材本体１３およびアタッチメント１４が各々アルミの押出形材で形成されている。
【００１５】
無目２０Ａは、下方に開口した呑込部２１と、この呑込部２１の室外側に設けられて上方に開口した呑込部２２とを備え、各呑込部２１，２２が互いに見込み方向（室内外方向）に重なっている。また、室外側の呑込部２２の一部は押縁２２Ａによって形成されている。このような無目２０Ａもアルミ製の押出形材で形成されており、その室内側の端部がブラケット２３、ボルト２４、およびナット２５等を介して方立本体１１の中空部に固定されている。なお、前述の縦材本体１３は、無目２０Ａにビス止めされていることで、この無目２０Ａを介して方立本体１１に支持されることになる。
【００１６】
ガラスパネル３０は、その上端縁が上方の無目２０Ａの室内側の呑込部２１に呑み込まれて保持され、下端縁が下方の無目２０Ａの室外側の呑込部２２に呑み込まれて保持され、これにより、下方に向かうに従って室外側に突き出るように傾斜して配置されるようになる。ガラスパネル３０の左右端縁は、室内側の受け部材３１および室外側の押縁３２で保持されており、受け部材３１がアタッチメント１４の対向面にビス止めされている。そして、受け部材３１および押縁３２で本発明に係る保持部材が形成されている。
【００１７】
次に、カーテンウォール１の辷り出し窓３の部分について説明する。
図４、図５において、辷り出し窓３は上下に一対設けられて連装窓を形成している。各辷り出し窓３を構成するガラスパネル３０の四周は枠体４０で保持されている。枠体４０は、それぞれアルミの押出形材からなる上框４１、下框４２、および左右の竪框４３を框組みしたものである。これらのうちの竪框４３は、前述したアタッチメント１４と類似した外郭形状を有し、縦材本体１３と対向配置されている。このため、辷り出し窓３部分での方立１０にはアタッチメント１４が設けられていない。そして、この竪框４３および縦材本体１３は辷り出し用のヒンジ４４で連結されている。
【００１８】
このような枠体４０では、上框４１と下框４２との見込み寸法が異なっており、上框４１の室外端に設けられた呑込部４５が下框４２の室外端に設けられた呑込部４６よりも室内側に位置するように、それぞれの室内面が面一とされて框組みされている。これにより、辷り出し窓３においても、ガラスパネル３０は、下方に向かうに従って室外側に突き出るように傾斜して配置されるようになる。また、室外側の呑込部４６の一部は押縁４６Ａによって形成されている。ガラスパネル３０の左右端縁は、室内側の受け部材４７および室外側の押縁４８で保持されており、受け部材４７が竪框４３の対向面にビス止めされている。そして、受け部材４７および押縁４８でも本発明に係る保持部材が形成されている。
【００１９】
このような竪框４３の室内面も、上下の框４１，４２の室内面と面一とされている。これにより形成される枠体４０の室内面は、上下の辷り出し窓３において同一面内に位置し、縦材本体１３および無目２０に対向する。この枠体４０の室内面と対向した縦材本体１３および無目２０の対向面には、枠体４０に接触するように四周連続した止水用のガスケット（乾式シール材）３Ａが取り付けられ、図４に示すように、各辷り出し窓３の止水ラインが同一鉛直面内に形成される。
【００２０】
上側の辷り出し窓３において、枠体４０を構成する下框４２の呑込部４６の室内側には、下側の辷り出し窓３のガラスパネル３０の上端縁を上框４１ごと呑み込む呑込部４９が設けられている。このような呑込部４９は、下側の辷り出し窓３の下框４２にも、下方のフィックス窓２のガラスパネル３０の上端縁を無目２０ごと呑み込むように設けられ、さらには、上方のフィックス窓２側の無目２０Ｂにも、上側の辷り出し窓３のガラスパネル３０の上端縁を上框４１ごと呑み込むように設けられている。
【００２１】
従って、上下の辷り出し窓３の境界部分では、上側の下框４２が本発明に係る支持材であり、上側の辷り出し窓３とフィックス窓２との境界では、無目２０Ｂが本発明に係る支持材であり、下側の辷り出し窓３とフィックス窓２との境界では、下框４２が本発明に係る支持材である。
【００２２】
次いで、カーテンウォール１の開き窓４の部分について説明する。
図６、図７において、開き窓４は、上框５１、下框５２、左右の竪框５３、および中央の水平な中骨５４で構成された枠体５０と、この枠体５０内に配置された上下一対のガラスパネル３０とを備えている。従って、この開き窓４内には、各ガラスパネル３０で形成されるフィックス窓部分が上下に連装されていることになる。
【００２３】
枠体５０の上框５１の見込み方向の略中央には、上側のガラスパネル３０の上端縁を保持する呑込部５５が設けられている。下框５２には、下側のガラスパネル３０の下端縁を保持する呑込部５６が設けられ、この呑込部５６の室内側には、下側のフィックス窓２のガラスパネル３０の上端縁を無目２０ごと呑み込む呑込部５７が設けられている。この下框５２は、辷り出し窓３の枠体４０の下框４２と同一断面形状とされている。中骨５４には、上側のガラスパネル３０の下端縁を保持する呑込部５６が同様に設けられ、呑込部５６の室内側には、下側のガラスパネル３０の上端縁を保持する呑込部５７が設けられている。
【００２４】
すなわち、開き窓４では、枠体５０の下框５２と中骨５４とが本発明に係る支持材である。上側のフィックス窓２の無目２０は、開き窓４が開閉する際に枠体５０との干渉を避けるために、枠体５０の上框５１（ガラスパネル３０の上端縁）を呑み込む構造とはなっておらず、本発明に係る支持材には含まれない。
【００２５】
このような枠体５０では、上框５１の呑込部５５は、中骨５４の呑込部５６よりも室内側に位置し、これらの呑込部５５，５６で保持される上側のガラスパネル３０は、下方に向かうに従って室外側に突き出るように傾斜して配置されるようになる。同様に、中骨５４の呑込部５７は、下框５２の呑込部５６よりも室内側に位置し、これらの呑込部５６，５７で保持される下側のガラスパネル３０も、下方に向かうに従って室外側に突き出るように傾斜して配置される。なお、図６中の符号５６Ａは、呑込部５６の一部を形成する押縁である。
【００２６】
枠体５０の室内面と対向する縦材本体１３および無目２０の対向面には、四周連続して枠体５０と接触する止水用のガスケット４Ａが取り付けられている。このガスケット４Ａで形成される止水ラインは、辷り出し窓３での止水ラインと同一鉛直面内にある。
【００２７】
上下の各ガラスパネル３０の左右端縁は、前述したフィックス窓２および辷り出し窓３と同様に、本発明の保持部材を構成する受け部材５８および室外側の押縁５９で保持されており、受け部材５８が竪框５３の対向面にビス止めされている。この竪框５３は、辷り出し窓３の竪框４３と同一断面形状を有している。そして、一方の竪框５３および縦材本体１３は開き窓用のヒンジ（蝶番）６１で連結されている。
【００２８】
このような実施形態では、建物の吹き抜け等に方立本体１１を立設しておき、縦材本体１３と無目２０とを予め枠組みして方立本体１１に取り付けて行く。次いで、各種の窓形態の応じて、ガラスパネル３０単体、あるいは枠体４０，５０で保持されたガラスパネル３０を縦材本体１３（方立１０）および無目２０で区画形成された開口内に配置し、カーテンウォール１を施工する。
【００２９】
このような本実施形態によれば、以下のような効果がある。
１）カーテンウォール１のフィックス窓２の部分において、無目２０Ａには、下側のガラスパネル３０の上端縁を呑み込む呑込部２１と、上側のガラスパネル３０の下端縁を呑み込む呑込部２２とが設けられ、これらの呑込部２１，２２が無目２０Ａの見込み方向に重なっているため、その分無目２０Ａの見付け寸法Ｈ（図２）を小さくできる。従って、無目２０Ａを目立たなくでき、カーテンウォール１の外観を良好にできる。
【００３０】
２）辷り出し窓３の部分においても、枠体４０の下框４２には、ガラスパネル３０の下端縁を呑み込む呑込部４６と、下側の辷り出し窓３の上框４１やフィックス窓２の無目２０を呑み込む呑込部４９がとが設けられ、これらの呑込部４６，４９が下框４２の見込み方向で重なっているから、この下框４２の見付け寸法Ｈ（図４）も小さくでき、辷り出し窓３の部分においても、外観を良好にできる。また、辷り出し窓３とこの上側のフィックス窓２との境界部分では、フィックス窓２の無目２０Ｂにも、見込み方向に重なった呑込部２２，４９が設けられているので、このような無目２０Ｂの見付け寸法Ｈも小さくでき、外観を確実に向上させることができる。
【００３１】
３）開き窓４においても、枠体５０の下框５２および中骨５４には、これらの見込み方向に重なるようにして呑込部５６，５７がそれぞれ設けられているため、その分下框５２および中骨５４の見付け寸法Ｈ（図６）も小さくでき、やはり外観を良好にできる。
【００３２】
４）また、フィックス窓２では、ガラスパネル３０の上下端縁が呑み込まれる呑込部２１，２２が互いに見込み方向にずれて設けられ、辷り出し窓３では、やはり呑込部４５，４６が互いに見込み方向にずれて設けられ、開き窓４でも同様に、呑込部５５，５６、および呑込部５６，５７が互いにずれているので、それぞれのガラスパネル３０を下方に向かうに従って室外側に突き出るように傾斜して配置でき、カーテンウォール１の意匠性を向上させることができる。
【００３３】
５）ガラスパネル３０の傾斜した左右端縁は、受け部材３１，４７，５８と押縁３２，４８，５９とからなる保持部材を介してアタッチメント１４や竪框４３，５３に取り付けられているため、これらに端縁を呑み込ませるための傾斜した呑込部を設ける必用がない。従って、アタッチメント１４および竪框４３，５３をガラスパネル３０の端縁に沿って傾斜させない本実施形態のような場合でも、押出成型されたアタッチメント１４および竪框４３，５３をそのまま利用でき、二次加工等を不要にしてそれらを安価に用いることができる。
【００３４】
６）上下一対の辷り出し窓３においては、各ガラスパネル３０を傾斜させるのに、枠体４０の上框４１と下框４２との見込み方向の位置をずらすことで傾斜させているわけではないので、枠体４０と方立１０および無目２０との止水ラインを同一鉛直面内に形成でき、止水構造を簡単なものにできる。
【００３５】
７）開き窓４においても、各ガラスパネル３０を傾斜させるのに、枠体５０の上框５１と下框５２との見込み方向の位置をずらすことで傾斜させているわけではないから、枠体５０と方立１０および無目２０との止水ラインも同一鉛直面内に形成でき、止水構造を簡単なものにできる。特に開き窓４では、開き窓４の室内面全体が連続した一つの平坦面になるので、開き窓４の四周に接触する一連のガスケット４Ａを方立１０および無目２０側に取り付ければよく、止水構造をより簡略化できる。
【００３６】
８）各種形態の窓２〜４において、方立１０を構成する縦材本体１３を共通に用いたり、受け部材３１，４７，５８同士や、押縁３２，４８，５９同士、竪框４３，５３同士、および下框４２，５２同士の断面形状が同じであるため、押出成型用の金型を共通化してコスト削減を図れるうえ、各部の納まり等も共通化でき、意匠性をさらに向上させることができる。
【００３７】
９）図４において、下側の辷り出し窓３の上框４１は、上側の辷り出し窓３の下框４２に呑み込まれ、各框４１，４２が見込み方向に重なっている。上側の辷り出し窓３の上框４１は、フィックス窓２の下側の無目２０Ｂに呑み込まれ、この無目２０Ｂおよび上框４１が見込み方向に重なっている。また、下側のフィックス窓２の上側の無目２０も、下側の辷り出し窓３の下框４２に呑み込まれ、この無目２０および下框４２が見込み方向に重なっている。従って、呑み込む側の無目２０Ｂおよび下框４２は、室外側から室内側に向けて作用する外力に対し、呑み込まれる側の無目２０および上框４１で補強され、反対に、これら呑み込まれる側の無目２０および上框４１は、室内側から室外側に向けて作用する外力に対し、呑み込む側の無目２０Ｂおよび下框４２で補強されるから、全体の見付け寸法をＨに抑えつつも、各窓２，３の境界部分での強度を確実に向上させることができる。
【００３８】
10）同様に図６において、下側のフィックス窓２の上側の無目２０は、開き窓４の下框５２に呑み込まれ、これら無目２０および下框５２が見込み方向に重なっており、下框５２は室外側から室内側に向けて作用する外力に対して無目２０で補強され、反対に、無目２０は室内側から室外側に向けて作用する外力に対し下框４２で補強されるから、開き窓４と下側のフィックス窓２の境界部分においても、見付け寸法をＨに抑えつつ、強度を確実に向上させることができる。
【００３９】
11）また、下側の辷り出し窓３の上框４１が上側の辷り出し窓３の下框４２に呑み込まれていることにより、当該上框４１をガスケット３Ａに確実に密着させるためには、当該下框４２用の引寄片を設けるだけでよい。すなわち、下框４２を引き寄せることで上框４１をも同時に引き寄せることができるから、上框４１用の引寄片を設ける必用がなく、構造を簡略化してコストを削減できる。
【００４１】
なお、本発明は、前記実施形態に限定されるものではない。
例えば、前記実施形態では、ガラスパネル３０は、下方に向かうに従って室外側に突き出るように傾斜していたが、ガラスパネル３０を、下方に向かうに従って室内側に突き出るように傾斜させてもよい。
さらに、水平方向の一方から他方に向かうに従って室内側または室外側に突き出すようにガラスパネル３０を傾斜させた場合でも本発明に含まれる。このような場合には、対向する一方の方立や竪框の呑込部と他方の方立や竪框の呑込部とを、それぞれ見込み方向にずらせばよく、これらが本発明に係る支持材となる。
【００４２】
その他、本発明に係る支持材や面材の材質や構造等は、本発明の目的を達成できる範囲で任意に決められてよく、前記実施形態や変形例で説明したものに限定されない。
【００４３】
【発明の効果】
以上に述べたように、本発明では、支持材に、各面材を呑み込む室内外の呑込部が見込み方向にずれて重なるように設けられているため、その分支持材の見付け寸法を小さくして支持材を目立たなくでき、カーテンウォールの外観を良好にできるという効果がある。
【図面の簡単な説明】
【図１】本発明の一実施形態に係るカーテンウォールを示す外観斜視図である。
【図２】前記実施形態の一要部を示す縦断面図である。
【図３】図２の横断面図である。
【図４】前記実施形態の他の要部を示す縦断面図である。
【図５】図４の横断面図である。
【図６】前記実施形態のさらに他の要部を示す縦断面図である。
【図７】図６の横断面図である。
【符号の説明】
１…カーテンウォール、１３…別の支持材である方立の縦材本体、２０Ａ，２０Ｂ…支持材である無目、２１，２２，４６，４９，５６，５７…呑込部、４２，５２…支持材である下框、５４…支持材である中骨、３０…面材であるガラスパネル、３１，４７，５８…受け部材、３２，４８，５９…押縁、４３，５３…別の支持材である竪框。
【図１】
0003668057.tif 000002
【図２】
0003668057.tif 000003
【図３】
0003668057.tif 000004
【図４】
0003668057.tif 000005
【図５】
0003668057.tif 000006
【図６】
0003668057.tif 000007
【図７】
0003668057.tif 000008